(57)【要約】本発明は、情報又は物品を格納するための装置を備える履物製品に関する。本履物製品は、前部（２０１）及び後部（１０１）を含むソール（１）を備え、ソール（１）には、履物製品（０）の前部（２００）又は後部（１００）上に開口している穴部（２）を設けている。本発明は、ソール（１）の穴部（２）に挿入されるケーシング（３、４）であって、前記ケーシング（３、４）が、ソール（１）の穴部（２）に挿入されるように設計されたダクト（３）であって、前記ダクト（３）が開口部（１５３）を含み、且つダクト（３）がソール（１）に恒久的に固定されるように穴部（２）に固定され、ケーシング（３、４）が密閉状態となるように、ダクト（３）の開口部（１５３）を密閉するカバー（４）であって、上記カバー（４）は、開口部（１５３）を介してダクト（３）に挿入されるように設計されることにより、情報又は物品を格納することを可能にするチューブ（５）を有する、カバー（４）を含む、ダクト（３）を備える、ケーシング（３、４）とをさらに備える。【選択図】図７
2019517313.tif 000002
【特許請求の範囲】
【請求項１】
情報又は物品を格納するための装置を備える履物製品であって、前記履物製品は、
前部（２０１）及び後部（１０１）を含むソール（１）であって、履物製品（０）の前部（２００）又は後部（１００）上に開口する穴部（２）を有する、ソール（１）を含み、
前記履物製品（０）は、前記ソール（１）の前記穴部（２）に挿入されるケーシング（３、４）を備え、
前記ケーシング（３、４）が、
前記ソール（１）の前記穴部（２）に挿入されるのに適したダクト（３）であって、開口部（１５３）を含むとともに前記ダクト（３）を前記ソール（１）に恒久的に固定するために、前記ソール（１）の前記穴部（２）に固定されたダクト（３）と、
前記ケーシング（３、４）が密閉状態となるように、前記ダクト（３）の前記開口部（１５３）を密閉するカバー（４）であって、前記開口部（１５３）を介して前記ダクト（３）に挿入するのに適しており、且つ情報又は物品を格納することを可能にするチューブ（５）を有する、カバー（４）と、を含むことを特徴とする、履物製品。
【請求項２】
前記チューブ（５）は前記カバー（４）の基部（１０４）に恒久的に（１０５）又は取り外し可能に（２０５）固定され、また前記チューブ（５）は、前記カバー（４）と同時に前記ダクト（３）内に手動で挿入され、又は前記ダクト（３）から手動で取り外される、請求項１に記載の履物製品。
【請求項３】
前記チューブ（５）は、前記チューブ（５）が含む内容を確認することができるように透過性材料から作製される、請求項１又は２に記載の履物製品。
【請求項４】
前記チューブ（５）は前記カバー（４）の前記基部（１０４）に取り外し可能に固定され、前記固定のための手段には、前記カバー（４）の前記基部（１０４）に位置する溝部（２５４、３５４）と協働する前記チューブの一方の端部に位置する平坦つまみ部（１２５５、２５５）であって、前記チューブ（５）をそれぞれ前記カバー（４）に固定したり、又は前記カバー（４）から取り外したりするために、前記溝部（２５４、３５４）と係合又は係合解除する、平坦つまみ部（１５５、２５５）によって形成される、バヨネット式閉鎖装置が含まれる、請求項１から３のいずれか一項に記載の履物製品。
【請求項５】
前記平坦つまみ部（１５５）は、好ましくは前記チューブの一方の端部における内面（２１５）に位置し、前記平坦つまみ部（１５５）に対応する前記溝部（３５４）は前記カバー（４）の外面に位置している、請求項４に記載の履物製品。
【請求項６】
前記平坦つまみ部（２５５）は、好ましくは前記チューブの一方の端部における外面（１１５）に位置し、前記平坦つまみ部（２５５）に対応する前記溝部（２５４）は前記カバー（４）の内面に位置している、請求項４に記載の履物製品。
【請求項７】
前記チューブの前記開口部は、開放（２４５）しており、前記チューブ（５）に配置される情報又は物品を閉鎖したり封鎖したりすることを可能にする取り外し可能なキャップ（１３５）であって、前記キャップ（１３５）の本体（２１３５）よりもわずかに大きく、前記チューブ（５）に挿入するのに適した直径を有するキャップヘッド（１１３５）を備える、キャップ（１３５）により、前記チューブ（５）は前記開口部において遮断される、請求項１から６のいずれか一項に記載の履物製品。
【請求項８】
前記チューブ（５）の開口部は、前記チューブ（５）に配置される情報又は物品を閉鎖したり封鎖したりすることを可能にする閉鎖状態のチューブを得るために、端面（１４５）によって閉鎖される、請求項１から６のいずれか一項に記載の履物製品。
【請求項９】
前記ダクト（３）はまた、前記ダクト（３）内に組み込まれた繋止手段（２３３、３３３、４３３）であって、前記ソール（１）の前記穴部（２）に前記ダクト（３）を固定し、前記ダクト（３）を恒久的に前記ソール（１）に固定するのに適した、繋止手段（２３３）を備える、請求項１から８のいずれか一項に記載の履物製品。
【請求項１０】
前記繋止手段（２３３）は前記ダクト（３）の前記外面に突出部（２３３）を備え、これにより、前記ダクト（３）を前記ソール（１）の前記穴部（２）に繋止して前記部分を恒久的に固定できるようにし、また前記突出部（２３３）は半月形状に形成され、前記ダクト（３）の前記開口部（１５３）に向かって開口し、且つ前記ダクト（３）の前記閉鎖部（３５３）に向かって中実状態にすることにより、前記穴部（２）に前記ダクト（３）を挿入しやすくし、且つ前記ダクト（３）が外れることを防止する、請求項９に記載の履物製品。
【請求項１１】
前記繋止手段（３３３）は、前記ダクト（３）の前記外面に突刺部（３３３）を備え、これにより、前記ダクト（３）を前記ソール（１）の前記穴部（２）に繋止して前記部分を恒久的に固定できるようにし、また前記突刺部（３３３）は前記ダクト（３）の前記開口部（１５３）を指向することにより、前記穴部（２）に前記ダクト（３）を挿入しやすくし、且つ前記ダクト（３）が外れることを防止する、請求項９又は１０に記載の履物製品。
【請求項１２】
前記ソールの前記穴部（２）の内壁（１０２）は、突刺部（２０２）であって、前記穴部（２）の底部（２３２）を指向し、且つ前記ダクト（３）の外側部分の突刺部（３３３）と協働することにより、前記ダクト（３）を前記ソール（１）に繋止し、且つ前記ダクト（３）が外れることを防止する、突刺部（２０２）を備える、請求項１１に記載の履物製品。
【請求項１３】
前記繋止手段（４３３）は、前記閉鎖部（３５３）の近傍に位置する前記ダクト（３）の端部にあり、前記ダクト（３）を前記ソール（１）の前記穴部（２）に繋止して前記部分を恒久的に固定できるようにするために尖状（４３３）の複数の要素を含む可撓性装置（４３３）であって、前記尖状の可撓性要素（４３３）は、前記ダクト（３）の内側に向かって押し込まれ、前記穴部（２）に前記ダクト（３）を挿入しやすくし、且つ前記ダクト（３）の外側に向かって延出させるのに適した状態にすることで、前記ソール（１）内に楔止めされ、且つそこに封鎖された状態になる、可撓性装置（４３３）を備える、請求項９から１２のいずれか一項に記載の履物製品。
【請求項１４】
前記繋止手段は、前記ダクト（３）と前記ソール（１）との恒久的固定を補強するための接着剤を含む、請求項９から１３のいずれか一項に記載の履物製品。
【請求項１５】
前記カバー（４）は外面において、前記ダクト（３）と協働するのに適した可撓性円環状薄板（１１４）を好ましくは備え、前記ダクト（３）の前記内面（１４３）を滑らかにすることにより、前記ダクト（３）上に前記カバー（４）を保持し、且つ前記ケーシング（３、４）が確実に密閉状態となる、請求項１から１４のいずれか一項に記載の履物製品。
【請求項１６】
前記カバー（４）は第１の固定部（２１４）を備え、且つ前記ダクト（３）は第２の固定部（２４３）を備え、前記第１の固定部（２１４）と前記第２の固定部（２４３）とは協働するように配置されており、前記第１の固定部は前記カバー（４）の前記外面（２１４）に第１のネジ山（２１４）を備え、且つ前記第２の固定部（２４３）は、前記開口部（１５３）の近傍にある前記ダクト（３）の前記内面に配置される第２のネジ山（２４３）を備え、前記ダクト（３）上に前記カバー（４）を保持し、且つ前記ケーシング（３、４）が確実に密閉状態となる、請求項１から１４のいずれか一項に記載の履物製品。
【請求項１７】
前記カバー（４）は、前記ダクト（３）と協働するのに適したレバー式閉鎖装置（１３４）を備え、前記ダクト（３）の前記内面は滑らか（１４３）であり、前記閉鎖装置（１３４）は、円環状継手（６１３４）の圧縮によって作動するのに適したレバー（４１３４）と、前記ダクト（３）の前記開口部（１５３）と接触して前記ダクト（３）上において前記カバー（４）を密閉状態で封鎖できるようにする遮断部材（７１３４）とを備える、請求項１から１４のいずれか一項に記載の履物製品。
【請求項１８】
前記カバー（４）は、２つのつまみ部（１１４４）を含むバヨネット式閉鎖装置（１４４）を備え、前記ダクト（３）は、前記２つのつまみ部（１１４４）と協働するのに適した溝部（４４３）を備え、前記２つのつまみ部（１１４４）は、前記カバー（４）を回転させることによって前記溝部（４４３）において封鎖され、前記カバー（４）と前記ダクト（３）とを強固に固定でき、且つ前記ケーシングが密閉状態となる、請求項１から１４のいずれか一項に記載の履物製品。
【請求項１９】
前記カバー（４）は第１の固定部（３１４）を備え、且つ前記ダクト（３）は第２の固定部（３４３）を備え、前記第１の固定部（３１４）と前記第２の固定部（３４３）とは協働するように配置されており、前記第１の固定部は前記カバー（４）の前記内面（３１４）に第１のネジ山（３１４）を備え、且つ前記第２の固定部（２４３）は、前記開口部（１５３）の近傍にある前記ダクト（３）の前記外面に配置される第２のネジ山（３４３）を備え、前記ダクト（３）上に前記カバー（４）を保持し、且つ前記ケーシング（３、４）が確実に密閉状態となる、請求項１から１４のいずれか一項に記載の履物製品。
【請求項２０】
前記ダクト（３）は前記ソールの前記穴部（１３２）よりもわずかに長く（２１３）、且つ前記ソールの外側よりもわずかに先に突出している（２１３）ことにより、前記第１の内側ネジ山（３１４）を有する前記カバー（４）を前記第２の外側ネジ山（３４３）を有する前記ダクト（３）へとねじ込むことができる、請求項１９に記載の履物製品。
【請求項２１】
前記カバー（４）は、前記カバー（４）の前記内面に第１のネジ山（３１４）を有するリム（２０４）を備え、前記ソールの前記穴部の直径（１３２）が前記ダクトの前記開口部（１５３）の外径（２５３）よりもわずかに大きいことにより、前記ダクト（３）の前記外面に配置される前記第２のネジ山（３４３）へのねじ込み時に前記カバー（４）を収容できる、請求項１９に記載の履物製品。
【請求項２２】
前記カバー（４）は、前記カバー（４）を前記ソール（１）に対して回転させる手段（１６４）であって、前記カバー（４）を回転させる手段（１６４）は、前記カバー（４）のねじ込み及び取り外しを容易にするように、ドライバ又はコインを挿入するために設けられるスロット（１６４）を含む、手段（１６４）を備える、請求項１から２１のいずれか一項に記載の履物製品  。
【請求項２３】
−  前記ダクト（３）は細長い円筒形状（１２３）であり、前記ソール（１）の前記穴部（２）もまた、前記ダクト（３）の形状に対応する円筒形状（１２２）であり、前記カバー（１２４）及び前記チューブ（１２５）も同様であるか、
−  又は前記ダクト（３）は細長い楕円形断面（２２３）であり、前記ソール（１）の前記穴部（２）もまた、前記ダクト（３）の断面に対応する楕円形断面（２２２）であり、前記カバー（２２４）及び前記チューブ（２２５）も同様であるか、
−  又は前記ダクト（３）は細長い長方形断面（３２３）であり、前記ソール（１）の前記穴部（２）もまた、前記ダクト（３）の断面に対応する長方形断面（３２２）であり、前記カバー（３２４）及び前記チューブ（３２５）も同様であるか、
−  又は前記ダクト（３）は細長い八角形断面（４２３）であり、前記ソール（１）の前記穴部（２）もまた、前記ダクト（３）の断面に対応する八角形断面（４２２）であり、前記カバー（４２４）及び前記チューブ（４２５）も同様である、
請求項１から２２のいずれか一項に記載の履物製品。
【請求項２４】
情報又は物品を格納するための装置を備える履物製品を製造する方法であって、前記方法は、以下の工程、すなわち：
・前部（２０１）及び後部（１０１）を含むソール（１）を備える履物製品（０）を設ける工程と、
・前記履物製品（０）の前記前部（２００）又は前記後部（１００）上に開口する穴部（２）を形成する工程と、
・開口部（１５３）を含むダクト（３）を備えるケーシング（３、４）を設ける工程であって、前記ダクト（３）は、前記ケーシング（３、４）が密閉状態となるように、前記ダクト（３）の前記開口部（１５３）を密閉するカバー（４）を備え、前記ケーシング（３、４）は、前記穴部（２）に挿入するのに適した状態であるように寸法決めされており、前記カバー（４）は、前記開口部（１５３）を介して前記ダクト（３）に挿入するのに適しており、且つ情報又は物品を格納することができるチューブ（５）を含む、工程と、
・前記穴部（２）に前記ダクト（３）を挿入して前記ソール（１）に前記ダクト（３）を固定し、前記ダクト（３）と前記ソール（１）とを恒久的に固定する工程と、
・前記チューブ（５）を恒久的に（１０５）、又は取り外し可能に（２０５）前記カバー（４）に固定する工程と、
・前記ダクト（３）に前記カバー（４）を固定する工程とを含む、
方法。
【請求項２５】
・前記チューブ（５）を含む前記カバー（４）を前記ダクト（３）に固定する工程と、
・次いで前記穴部（２）に前記ケーシング（３、４）を挿入することにより、前記カバー（４）が前記ダクト（３）と前記穴部（３）の前記開口部とを閉鎖する工程とからなる
連続的工程をさらに含む、請求項２４に記載の製造方法。
【発明の詳細な説明】
【技術分野】
【０００１】
本発明は、情報又は物品を格納するための装置を備える履物製品、及びこの種の履物製品を製造する方法に関する。
【０００２】
第１の態様によれば、本発明は、情報又は物品を格納するための装置を備える履物製品に関する。第２の態様によれば、本発明は、格納装置を収容することができる履物製品を提案する。第３の態様によれば、本発明は、履物製品に挿入するのに適した情報又は物品を格納するための装置を備える、ケーシングを提案する。第４の態様によれば、本発明は履物製品を製造する方法を提案する。
【０００３】
「履物製品」とは、ここではエスパドリーユ、サンダル、ブーツなどのあらゆる形式の履物製品（子供用、女性用、男性用）、又は素足を意味していると理解されるものとする。
【背景技術】
【０００４】
先行技術によれば、外部からアクセス可能な記憶モジュールのためのハウジングを備える履物製品が存在する。
【０００５】
特許文献１には、ソールと、ソールに組み込まれており、外枠にプラグインモジュールを収容し、且つこれを解放可能に保持するように意図された受け口とを備えるスポーツ履物製品について記載されており、前記プラグインモジュールはバッテリと、電気回路要素とを備える。
【０００６】
特許文献２には、ハウジング要素が電子モジュール用に設けられ、履物製品の構造の外側からアクセス可能である履物製品の別の例について記載されており、前記履物製品はまた、取り外し可能なカバー要素を有するケーシングを備える。
【０００７】
これらの構造は、履物製品に収容することができ、且つソールに容易に固定することができる種々の装置によって一般に形成される。
【０００８】
しかしながら、格納装置を備えるこれらの既知の履物製品について批評されている１つの点として、汚れや水によってケーシングが劣化しないようにこれらを設計しておらず、またこれら自体が重く、かさばり、不安定であるという事実を考慮するべきである。格納構造体の場合、この種の装置の組立て及び分解には多くの時間を要する。また、物品を格納するためのこれらの装置は不安定であり、悪天候、霜付き、又は高温に耐性がないため、これらの実装に関しても課題が生じている。とりわけ、時間が経つにつれて、これらの格納装置は（霜付き又は高温の場合）履物製品から容易に外れてしまう可能性があるか、或いは密閉状態を維持できなくなる。
【０００９】
とりわけ、履物製品にしっかりと固定されていないか、又は完全には密閉状態ではないある種の格納装置については、実装の点で困難が生じ、これによってある課題が発生している。
【００１０】
また、情報又は物品を履物製品に格納するためのこれらの既知の装置は、子供でさえ比較的容易に開放することができる。それでもなお、既知の格納装置に配置される情報又は物品へのアクセスは容易ではない。
【先行技術文献】
【特許文献】
【００１１】
【特許文献１】国際公開第９３１１６８１号パンフレット
【特許文献２】米国特許出願公開第２００７２６０４２１号明細書
【発明の概要】
【発明が解決しようとする課題】
【００１２】
したがって、先行技術において直面している欠点を克服することを最大限可能にするシステムが必要であることは明らかである。
【課題を解決するための手段】
【００１３】
本発明の１つの目的は、情報又は物品を格納するための装置を備える履物製品を提供することである。
【００１４】
本発明は、以下のいくつかの目的を有する：
−  特定の瞬間に危険な状態にあるか、又は重要な情報を伝えることができない人（幼い子供、障害のある人、記憶喪失の原因となる事故に巻き込まれた人、身元不明の人など）を支援する
−  履物製品を着用している人が上記過程において、彼ら（幼い子供、障害のある人など）を支援できない場合に、２人の大人がアイテムと情報とのやり取りを可能にする
−  不測の事態から身を守る（これを抑止する）
【００１５】
情報又は物品を格納するための装置を提供することにより、履物製品を着用する人の安心感を高めることが可能となる。
【００１６】
本装置に、以下のような情報（必須の非常用リスト、本人確認情報）を含む重要な物品又は紙の文書を保管若しくは格納することができる：
名前
生年月日
個人の住所
血液型
医薬品及び食品に対するアレルギー
その他の医療情報
緊急連絡先及び緊急連絡人（家族）
担当医名
通院先の情報など
その他の情報：入れ墨、眼鏡、本人であることを識別する特徴
【００１７】
この装置には医薬品、マイクロチップ、ＧＰＳトラッカ、現金、ＵＳＢスティックなど、重要な物品を保管又は格納することもできる。
【００１８】
ここで解決しようとしている課題は、上述した先行技術の欠点を克服し、情報又は物品を格納するための装置であって、履物製品に固定接続され、且つ完全に密閉状態となる装置を備える履物製品を追求することである。
【００１９】
したがって、本発明の１つの目的は、情報又は物品を格納するための別個の装置であって、確かな使いやすさをもたらしながらも、非常に信頼性が高く強固な装置を備える履物製品を提供することである。
【００２０】
本発明の別の目的は、情報又は物品を格納するための完全に密閉状態となる強固な装置であって、大人が開放するのは容易であるが、子供が開放するのは比較的難しい装置を備える履物製品を提案することである。
【００２１】
本発明は、履物製品の操作を簡略化することにより、情報又は物品を格納するための装置の位置決めを容易にし、且つ前記装置を履物製品に容易に且つしっかりと繋止しながらも、前記装置を密閉状態にして、履物製品に恒久的に固定できるようにする。本発明の別の目的は、格納装置に配置される情報又は物品への接近を容易にすることである。
【００２２】
本発明によれば、この目的は、情報又は物品を格納するための装置を備える履物製品が請求項１の特徴部分の特徴を有していることから達成される。
【００２３】
別の態様によれば、このために本発明は、請求項２４の特徴を有する、情報又は物品を格納するための装置を備える履物製品を製造する方法を提案する。
【００２４】
より具体的には、本発明によれば、このために、情報又は物品を格納するための装置を備える履物製品が、前部及び後部を含むソールであって、前記ソールは、履物製品の前部又は後部上に開口する穴部を有する、ソールと、前記ソールの前記穴部に挿入されるケーシングであって、前記ケーシングは、前記ソールの前記穴部に挿入されるのに適したダクトであって、前記ダクトが開口部を含み、且つ前記ダクトを前記ソールに恒久的に固定するために、前記ソールの前記穴部に固定され、且つ前記ケーシングが密閉状態となるように、前記ダクトの開口部を密閉するカバーであって、前記カバーは、前記開口部を介して前記ダクトに挿入するのに適しており、且つ情報又は物品を格納することを可能にするのに適したチューブを有するカバーを含む、ダクトを備える、ケーシングとを備えることにより、この目的は達成される。
【００２５】
これにより、汚れや水によってケーシングが劣化するのを防止することができ、前記カバーは密閉状態で前記穴部の開口部を閉鎖し、前記装置は大人が開放するのは容易であるが、子供が開放するのは比較的難しい。
【００２６】
加えて、これにより、ソールとケーシングとの間で強固且つ密閉状態の固定を達成することが可能となり、またこの繋止手段は、ダクトをソールに恒久的に固定することができるように設計される。前記ダクト上のカバーを固定することにより、子供がカバーを取り外すのが困難となるような抵抗力が生成される。この閉鎖装置により、大人が開放するのは容易であるが、子供が開放するのは比較的難しい密閉状態の固定が可能である。また、これにより、前記格納装置のチューブに配置される情報又は物品に接近するのを容易にすることが可能である。
【００２７】
前記チューブは、好ましくは取り外し可能となるように前記穴部に挿入される。前記チューブを手に持った場合、前記チューブに文書又は物品を挿入し、その文書又は物品を前記チューブから取り出すことがより容易となる。
【００２８】
前記ソールの穴部にチューブをより容易に挿入して固定することができるように、この穴部は、好ましくは一方の側で密閉され、他方の側で開口されるダクトと連通している。
【００２９】
本発明の一実施形態では、前記チューブはカバーの基部に恒久的に又は取り外し可能に固定され、また前記チューブは、カバーと同時にダクト内に手動で挿入されるか、又はダクトから手動で取り外される。
【００３０】
前記チューブは、これが含む内容を確認することができるように、好ましくは透過性材料から作製される。
【００３１】
本発明の一実施形態では、前記チューブはカバーの基部に取り外し可能に固定され、この固定のための手段には、カバーの基部に位置する溝部と協働する前記チューブの一方の端部に位置する平坦つまみ部であって、前記チューブをそれぞれカバーに固定したり、又はこれから取り外したりするために、前記溝部と係合又は係合解除する、平坦つまみ部によって形成される、バヨネット式閉鎖装置が含まれる。
【００３２】
前記平坦つまみ部は、好ましくはチューブの一方の端部における内面に位置し、前記平坦つまみ部に対応する溝部はカバーの外面に位置している。
【００３３】
或いは、前記平坦つまみ部は、好ましくはチューブの一方の端部における外面に位置し、前記平坦つまみ部に対応する溝部はカバーの内面に位置している。
【００３４】
本発明の一実施形態では、前記チューブの開口部は開放され、前記チューブに配置される情報又は物品を閉鎖したり封鎖したりすることを可能にする取り外し可能なキャップであって、前記キャップは、前記キャップの本体よりもわずかに大きく、前記チューブに挿入するのに適した直径を有するキャップヘッドを備える、キャップにより、前記チューブは前記開口部において遮断される。
【００３５】
本発明の別の実施形態では、前記チューブの開口部は、前記チューブに配置される情報又は物品を閉鎖したり封鎖したりすることを可能にする閉鎖状態のチューブを得るために、端面によって閉鎖される。
【００３６】
本発明の好ましい実施形態では、前記ダクトはまた、前記ダクト内に組み込まれた繋止手段であって、ソールの穴部に前記ダクトを固定し、前記ダクトを恒久的にソールに固定するのに適した、繋止手段を備える。
【００３７】
本発明の一実施形態では、好ましくは前記繋止手段はダクト内に組み込まれ、すなわち前記繋止手段とダクトとは一体に形成される。
【００３８】
本発明の一実施形態では、前記繋止手段はダクトの外面に突出部を備え、ダクトをソールの穴部に繋止して前記部分を恒久的に固定できるようにしており、またこの突出部は半月形状に形成され、ダクトの開口部に向かって開口し、且つダクトの閉鎖部に向かって中実状態にすることにより、前記穴部にダクトを挿入しやすくし、且つ前記ダクトが外れることを防止する。
【００３９】
本発明の別の実施形態では、前記繋止手段は、好ましくはダクトの外面に突刺部を備え、ダクトをソールの穴部に繋止して前記部分を恒久的に固定できるようにし、またこの突刺部はダクトの開口部を指向することにより、前記穴部にダクトを挿入しやすくし、且つ前記ダクトが外れることを防止する。
【００４０】
本発明の一実施形態では、前記ソールの穴部の内壁は、突刺部であって、前記穴部の底部を指向し、且つ前記ダクトの外側部分の突刺部と協働することにより、前記ダクトを前記ソールに繋止し、且つ前記ダクトが外れることを防止する、突刺部を備える。
【００４１】
本発明の別の実施形態では、前記繋止手段は、閉鎖部の近傍に位置するダクトの端部にあり、ダクトをソールの穴部に繋止して前記部分を恒久的に固定できるようにするために尖状の複数の要素を含む可撓性装置であって、前記尖状の可撓性要素は、ダクトの内側に向かって押し込まれ、前記穴部にダクトを挿入しやすくし、且つダクトの外側に向かって延出させるのに適した状態にすることで、ソール内に楔止めされ、且つそこに封鎖された状態になる、可撓性装置を備える。
【００４２】
本発明の一実施形態では、前記繋止手段は、前記ダクトと前記ソールとの恒久的固定を補強するための接着剤を含む。
【００４３】
本発明の別の実施形態では、前記カバーは外面において、ダクトと協働するのに適した可撓性円環状薄板を好ましくは備え、前記ダクトの内面を滑らかにすることにより、ダクト上にカバーを保持し、且つケーシングが確実に密閉状態となる。
【００４４】
本発明の別の実施形態では、前記カバーは第１の固定部を備え、且つ前記ダクトは第２の固定部を備え、前記第１の固定部と前記第２の固定部とは協働するように配置されており、前記第１の固定部はカバーの外面に第１のネジ山を備え、且つ第２の固定部は、前記開口部の近傍にあるダクトの内面に配置される第２のネジ山を備え、ダクト上にカバーを保持し、且つケーシングが確実に密閉状態となる。
【００４５】
本発明の別の実施形態では、前記カバーは、ダクトと協働するのに適したレバー式閉鎖装置を備え、前記ダクトの内面は滑らかであり、前記閉鎖装置は、円環状継手の圧縮によって作動するのに適したレバーと、ダクトの開口部と接触してダクト上においてカバーを密閉状態で封鎖できるようにする遮断部材とを備える。
【００４６】
本発明の別の実施形態では、前記カバーは、２つのつまみ部を含むバヨネット式閉鎖装置を好ましくは備え、ダクトは、前記２つのつまみ部と協働するのに適した溝部を備え、前記２つのつまみ部は、カバーを回転させることによって前記溝部において封鎖され、カバーとダクトとを強固に固定でき、且つケーシングが密閉状態となる。
【００４７】
本発明の別の実施形態では、前記カバーは第１の固定部を備え、且つ前記ダクトは第２の固定部を備え、前記第１の固定部と前記第２の固定部とは協働するように配置されており、前記第１の固定部はカバーの内面に第１のネジ山を備え、且つ第２の固定部は、前記開口部の近傍にあるダクトの外面に配置される第２のネジ山を備え、ダクト上にカバーを保持し、且つケーシングが確実に密閉状態となる。
【００４８】
本発明の一実施形態では、前記ダクトはソールの穴部よりもわずかに長く、且つソールの外側よりもわずかに先に突出していることにより、第１の内側ネジ山を有するカバーを第２の外側ネジ山を有するダクトへとねじ込むことができる。
【００４９】
本発明の別の実施形態では、前記カバーは、カバーの内面に第１のネジ山を有するリムを備え、ソールの穴部の直径はダクトの開口部の外径よりもわずかに大きいことにより、ダクトの外面に配置される第２のネジ山へのねじ込み時にカバーを収容できる。
【００５０】
本発明の別の実施形態では、前記カバーは、前記カバーをソールに対して回転させる手段であって、前記カバーを回転させる手段は、カバーのねじ込み及び取り外しを容易にするように、ドライバ又はコインを挿入するために設けられるスロットを含む、手段を備える。
【００５１】
本発明の好ましい実施形態では、前記ダクトは細長い円筒形状であり、前記ソールの穴部もまた、前記ダクトの形状に対応する円筒形状であり、前記カバー及び前記チューブも同様である。
【００５２】
本発明の別の実施形態では、前記ダクトは細長い楕円形断面であり、前記ソールの穴部もまた、前記ダクトの断面に対応する楕円形断面を有しており、前記カバー及び前記チューブも同様である。
【００５３】
本発明の別の実施形態では、前記ダクトは細長い長方形断面であり、前記ソールの穴部もまた、前記ダクトの断面に対応する長方形断面を有しており、前記カバー及び前記チューブも同様である。
【００５４】
本発明の別の実施形態では、前記ダクトは細長い長方形断面であり、前記ソールの穴部もまた、前記ダクトの断面に対応する長方形断面を有しており、前記カバー及び前記チューブも同様である。
【００５５】
第２の態様によれば、本発明は、情報又は物品を格納するための装置を備える履物製品を製造する方法を提案し、本方法は以下の工程、すなわち：
・前部及び後部を含むソールを備える履物製品を設ける工程と、
・前記履物製品の前部又は後部上に開口する穴部を形成する工程と、
・開口部、及び前記ケーシングが密閉状態となるように、前記ダクトの開口部を密閉するカバーを含むダクトを備えるケーシングを設ける工程であって、前記ケーシングは、前記穴部に挿入するのに適した状態であるように寸法決めされており、前記カバーは、前記開口部を介して前記ダクトに挿入するのに適しており、且つ情報又は物品を格納することができるチューブを含む、工程と、
・前記穴部に前記ダクトを挿入して前記ソールに前記ダクトを固定し、前記ダクトと前記ソールとを恒久的に固定する工程と、
・前記チューブを恒久的に、又は取り外し可能に前記カバーに固定する工程と、
・前記ダクトに前記カバーを固定する工程とを含む。
【００５６】
本発明の一実施形態では、前記製造方法は、前記チューブを含む前記カバーを前記ダクトに固定する工程と、次いで前記穴部に前記ケーシングを挿入することにより、前記カバーが前記ダクトと前記穴部の開口部とを閉鎖する工程とからなる連続的工程を好ましくは含む。
【００５７】
別の態様によれば、本発明は、後部を含むソールを備える履物製品を提案し、前記履物製品において、前記ソールの前記後部が、水平な、又は傾斜した底部を有しており、前記ソールの形状に追従し、且つ前記履物製品の後部に向かって開口する穴部を含むことを特徴とし、且つ前記履物製品が、前記ソールの前記穴部に挿入されるダクトであって、前記ダクトが情報又は物品を格納している、ダクトを備えることを特徴とする。
【００５８】
他の変形形態を提供し、且つ前記履物製品の前部にあり、前記履物製品の前部向かって開口する穴部、又は前記後部の外側にあり、前記履物製品の外側に向かって開口する穴部を含む、複数のソールを有することも可能である。
【００５９】
この穴部を前記履物製品の外側に、横切って延在するように形成し、前記穴部が前記履物製品の後部における、前記履物製品の外側に向かって開口する状態にすることも可能である。前記穴部は前記履物製品よりも先に延出する。
【００６０】
前記穴部は、前記ソールの後部において、ヒールカップの基部までビーディングの形態で前記ソールの後部の高さを上昇させるか、又は前記ソールの長さを伸張することによって形成されることができる。
【００６１】
前記穴部は支持体において、前記支持体の首部の体積を増加させることによって形成されることもできる。
【００６２】
履物製品の「ソール」は、本発明の範囲においては、履物製品の使用者の足と地面との間に位置することが意図される、履物製品の一部である。
【図面の簡単な説明】
【００６３】
本発明のさらなる特徴及び利点は、以下の詳細な説明を読解することにより明らかとなる。また、本発明のより明確な理解をもたらすために、いくつかの好ましい実施形態を以下に一例として、とりわけ添付の図面を参照しながら記載する。
【００６４】
【図１】本発明の一実施形態における履物製品を示す。
【図２】本発明の一実施形態における履物製品の後部の側面図を示す。
【図３】本発明の一実施形態における履物製品の後部の側面図を示す。
【図４】本発明の一実施形態における履物製品の後部の側面図を示す。
【図５】本発明の一実施形態における履物製品の後部の側面図を示す。
【図６】本発明の一実施形態における履物製品の後部の平面図を示す。
【図７】本発明の一実施形態における履物製品の後部の側面図を示す。
【図８】本発明の一実施形態におけるダクト及びカバーの側面図を示す。
【図９】本発明の一実施形態におけるダクト及びカバーの側面図を示す。
【図１０】本発明の一実施形態におけるダクト及びカバーの側面図を示す。
【図１１】本発明の一実施形態におけるダクト及びカバーの側面図を示す。
【図１２】本発明の一実施形態におけるダクト及びカバーの側面図を示す。
【図１３】本発明の一実施形態におけるダクト及びカバーの側面図を示す。
【図１４】本発明の一実施形態における履物製品の後部の概略図を示す。
【図１５】本発明の一実施形態における履物製品の後部の概略図を示す。
【図１６】本発明の一実施形態におけるダクトの側面図を示す。
【図１７】本発明の一実施形態におけるダクトの側面図を示す。
【図１８】本発明の一実施形態におけるカバーの側面図を示す。
【図１９】本発明の一実施形態におけるカバーの側面図を示す。
【図２０】本発明の一実施形態におけるカバーの平面図を示す。
【図２１】本発明の一実施形態におけるカバーの側面図を示す。
【図２２】本発明の一実施形態における履物製品の後部、ダクト及びカバーの側面図を示す。
【図２３】本発明の一実施形態における履物製品の後部、ダクト及びカバーの側面図を示す。
【図２４】本発明の一実施形態におけるカバーの側面図を示す。
【図２５】本発明の一実施形態における履物製品の後部、ダクト及びカバーの側面図を示す。
【図２６】本発明の一実施形態におけるカバーの側面図を示す。
【図２７】本発明の一実施形態における履物製品の後部、ダクト及びカバーの側面図を示す。
【図２８】本発明の一実施形態におけるカバーの平面図を示す。
【図２９】本発明の一実施形態におけるチューブを有するカバーの図を示す。
【図３０】本発明の別の実施形態におけるチューブを有するカバーの図を示す。
【図３１ａ】本発明の一実施形態におけるチューブを有するカバーの図を示す。
【図３１ｂ】本発明の一実施形態におけるチューブを有するカバーの図を示す。
【図３１ｃ】本発明の一実施形態におけるチューブを有するカバーの図を示す。
【図３１ｄ】本発明の一実施形態におけるチューブを有するカバーの図を示す。
【図３２】本発明の一実施形態におけるチューブを有するカバーの図を示す。
【図３３】本発明の一実施形態におけるチューブを有するカバーの図を示す。
【図３４ａ】本発明の一実施形態におけるチューブを有するカバーの図を示す。
【図３４ｂ】本発明の一実施形態におけるチューブを有するカバーの図を示す。
【図３４ｃ】本発明の一実施形態におけるチューブを有するカバーの図を示す。
【図３４ｄ】本発明の一実施形態におけるチューブを有するカバーの図を示す。
【発明を実施するための形態】
【００６５】
特定の実施形態に基づいて、且つ図面を参照しながら本発明について記載しているが、本発明はこれに限定されない。記載している図面又は図は単に概略的なものであり、限定するものではない。図１は、本発明の一実施形態における履物製品（０）を示す。
【００６６】
履物製品（０）は、ソール（１）を備え、図１においてその後部（１０１）が表示されている。前記ソールの後部（１０１）は、履物製品の使用者のかかとを支持することを目的としている。前記ソールの後部（１０１）は、好ましくはヒール部を含む。前記ソール（１）はまた、とりわけ使用者のつま先を支持することを目的とした前部（２０１）を含む。ソール（１）の後部（１０１）は、好ましくは前記ソールの前部（２０１）よりも厚みがある。
【００６７】
ソール（１）の後部（１０１）は、履物製品（０）の後部に向かって開口している穴部（２）を備える。穴部（２）は、好ましくは履物製品（０）のヒール部に位置している。
【００６８】
図７に示すように、履物製品（０）は、穴部（２）に手動で挿入できるダクト（３）を備える。ダクト（３）はまた、ダクト（３）の開口部（１５３）を閉鎖するカバー（４）を備える。ダクト（３）とカバー（４）とは、共に密閉状態のケーシング（３、４）を形成している。
【００６９】
ケーシング（３及び４）は、前記ケーシングが穴部（２）内の適所にあるときに前記穴部の開口部（１５３）に向かって回転する第１の面と、前記ケーシングを閉鎖するために、前記第１の面の反対側に設けられる第２の面とを有する。
【００７０】
ケーシング（３及び４）は好ましくは円筒形状となっており、この場合、前記ケーシングは好ましくは０．５〜２．０ｃｍ、より好ましくは１．０〜１．５ｃｍの直径を有する。
【００７１】
ケーシング（３及び４）は、好ましくは１．０〜１０．０ｃｍ、より好ましくは３．０〜７．０ｃｍ、さらにより好ましくは４．０〜６．０ｃｍの長さを有する。
【００７２】
前記履物製品を地面に対して平坦に配置したときに、ケーシング（３及び４）が実質的に水平方向に後方を指向するように、穴部（２）は、前記ソールの内側に実質的に平行であることが好ましく、前記ソールの内側に実質的に平行となるように、ダクト（３）を同様に設けることが好ましい。
【００７３】
履物製品（０）を、フラットヒールを有するか、ヒールを有するか、ハイヒールを有するか、又は付加的ソールを有する履物製品とすることができる。
【００７４】
図７から図１１は、ダクト（３）に水や埃が侵入するのを防止するために、前記穴部の開口部（１５３）を閉鎖する、さらには完全に密閉状態で閉鎖するように意図されたカバー（４）を示す。
【００７５】
カバー（４）は、前記カバー（４）が穴部の開口部（１５３）上の適所にあるときに後方に向かって回転する第１の面と、前記第１の面の反対側に設けられ、したがって前記ケーシングを挿入した前記穴部を前記カバー（４）が閉鎖するときに、前記ケーシングの第１の面に対向した状態となる第２の面とを有する。カバー（４）の第１の面と第２の面とは、前記カバーの長さだけ分離している。
【００７６】
ダクトに関する技術的説明とその固定方法
図７に示すように、ダクト（３）はまた、前記ダクトの開口部（１５３）を閉鎖して密閉状態のケーシングを形成しているカバー（４）を備える。密閉状態で前記開口部を閉鎖するように前記カバー（４）を設計している。
【００７７】
ダクト（３）を円筒形状（１２３）、楕円形状（２２３）、長方形状（３２３）、八角形状（４２３）などの異なる形状で設けることができ、かつこれを種々の大きさで設けることができる。
【００７８】
図８に示すように、ダクト（３）の形状が細長い円筒形（１２３）である場合、ソール（１）の穴部（２）も、ダクト（３）の形状に対応する円筒形状（１２２）であり、カバー  （１２４）及びチューブ（１２５）も同様である。本発明の一実施形態（図示せず）によれば、ダクト（３）及びチューブの形状は円錐形であり、ソール（１）の穴部（２）もダクト（３）及びチューブの形状に対応する円錐形（１２２）である。
【００７９】
図９に示すように、ダクト（３）の断面が細長い楕円形（２２３）である場合、ソール（１）の穴部（２）もダクト（３）の断面に対応する円筒形断面（２２２）であり、カバー（２２４）及びチューブ（２２５）も同様である。
【００８０】
図１０に示すように、ダクト（３）の断面が細長い長方形（３２３）である場合、ソール（１）の穴部（２）もダクト（３）の断面に対応する長方形断面（３２２）であり、カバー（３２４）及びチューブ（３２５）も同様である。
【００８１】
図１１に示すように、ダクト（３）の断面が細長い八角形（４２３）である場合、ソール（１）の穴部（２）もダクト（３）の断面に対応する八角形断面（４２２）であり、カバー（４２４）及びチューブ（４２５）も同様である。
【００８２】
ダクト（３）及びカバー（４）を、あらゆる種類の不浸透性（金属、アルミニウム、ステンレス鋼、あらゆる種類のプラスチック、炭素、ゴムなど）ベースで作製することができる。
【００８３】
物品を内包する前記チューブを容易に挿入且つ取り外すことができるように、好ましくはダクト（３）の内面（１４３）を滑らかにしている。
【００８４】
繋止手段によって、ダクト（３）を前記履物製品のソール（１）に恒久的に固定している。
【００８５】
図１２に示す本発明の好ましい実施形態によれば、前記ダクトの外面は突出部（２３３）を備えることにより、ソール（１）の穴部（１１２、２１２）にダクト（３）を繋止する手段を形成するように、且つソール（１）にダクト（３）を固定してこれらを恒久的に固定できるようにしている。半月形状を有するこれらの突出部（２３３）はダクトの開口部（１５３）に向かって開口しており、且つダクトの閉鎖部（３５３）に向かって中実状態となっている。ダクト（３）を穴部（２）に挿入すると、前記ダクトは前記穴部の底部まで容易に滑動する。
【００８６】
次いで、前記突出部（２３３）はダクト（３）を穴部（２）内に封鎖してこれが外れることを防止し、これによってソール（２）にダクト（３）が恒久的に接合される。
【００８７】
図１２に示す実施形態によれば、ソール（１）の穴部（２）内へのダクト（３）の保持を、有利には接着剤によってさらに補強することができる。
【００８８】
ダクト（３）をたとえばソール（１）に、別の接着固定手段、セメント、はんだ付けによって、或いは他の融着技術によって固定することができる。
【００８９】
図１３から図１５に示す本発明の別の好ましい実施形態によれば、前記ダクトの外面は突刺部（ひれ部）（３３３）を備えることにより、ソール（１）の穴部（１１２、２１２）にダクト（３）を繋止する手段を形成するように、且つソール（１）にダクト（３）を固定してこれらを恒久的に固定できるようにしている。これらの突刺部（３３３）は、ダクト（３）を穴部（２）に挿入した後に、穴部（２）からダクト（３）が外れてしまうことを防止するのに適している。
【００９０】
図１４に示すように、ソールの穴部（２）の内壁（１０２）を滑らかにすることができ、ダクト（３）の外側部分のみが前記突刺部（３３３）を含む。
【００９１】
図１５に示すように、別の実施形態によれば、穴部（２）の内壁（２０２）は同じ突刺部（２０２）を含んでおり、これらの突刺部（２０２）はダクト（３）の外側部分の突刺部（３３３）と協働することにより、ソール（１）にダクト（３）を繋止且つ固定してこれらを恒久的に固定できるようにしている。
【００９２】
図１４から図１６に示す実施形態によれば、ソール（１）の穴部（２）における保持を、有利には接着剤によってさらに補強することができる。
【００９３】
図１６に示す本発明の別の好ましい実施形態によれば、ダクト（３）は穴部の底部（２３２）の近傍に位置する端部において、複数の尖状要素（４３３）、好ましくは４つの要素（４３３）から形成される可撓性装置を備える。前記ダクトを穴部（２）に挿入すると、可撓性の尖状要素（４３３）が内側に押し込まれて、穴部（２）へのダクトの挿入が容易にできる。次いで、履物製品の製造中にダクト（３）内にシリンダ（図示せず）を挿入することにより、種々の尖状要素（４３３）が延出してソール（１）内に楔止めされ、且つそこに封鎖されたままとなり、これにより、ダクト（３）をソール（１）に固定してこれらの部品を恒久的に固定できるようにしている。
【００９４】
図１６に示す実施形態によれば、ソール（１）の穴部（２）における保持を、有利には接着剤によってさらに補強することができる。
【００９５】
提示している実施形態におけるダクト（３）の繋止手段を、互いに組み合わせることができる。
【００９６】
ソール（１）の穴部における保持を、接着剤によってさらに補強している。
【００９７】
図１７に示す本発明の別の好ましい実施形態によれば、ダクトは滑らかであり（１３３）、接着剤を使用してソール（１）の穴部（２）内にダクトを固定している。ダクト（３）とソール（１）とは、接着剤を使用しただけで恒久的に固定されている。
【００９８】
ダクトへのカバーの固定方法とこれに関する説明
図１８から図２７は、ダクト（３）の開口部を密閉することにより、カバー（４）とダクト（３）とを強固に固定でき、且つ前記ケーシングを密閉状態とするカバー（４）を示す。
【００９９】
カバー（４）は第１の固定部を備え、且つダクト（３）は第２の固定部を備え、前記第１の固定部と前記第２の固定部とは協働するように配置されている。これにより、カバー（４）とダクト（３）とを強固に、且つ密閉状態で固定することができる。
【０１００】
図１８に示す本発明の好ましい実施形態では、カバー（４）は外面において、ダクト（３）と協働するのに適した可撓性円環状薄板（１１４）を備え、ここで、前記ダクト（３）の内面は滑らか（１４３）となっている。
【０１０１】
カバー（４）は、外面において可撓性円環状薄板（１１４）を備える。ダクトの開口部（１５３）がカバーの基部（１０４）と接触するまでカバー（４）をダクト（３）内に挿入することにより、薄板（１１４）をわずかに折り込むことができ、これによって前記ケーシングの密閉性を確保しながらも、子供がカバー（４）を取り外すのが困難となるような抵抗力が生成される。
【０１０２】
カバー（４）の取り外しは、カバーの基部（１０４）にあるグリップ（４１４）を使用して、人がこれを強く引っ張るだけで十分可能である。
【０１０３】
図２１に示す本発明の好ましい実施形態では、カバー（４）を、ダクト（３）と協働するのに適したレバー式閉鎖装置（１３４）によって形成しており、ここで、前記ダクトの内面は滑らか（１４３）となっている。
【０１０４】
この装置（１３４）は、下底（３１３４）にある受け台（２１３４）と、ロッド（５１３４）の頭部にあるレバー（４１３４）との間に接続されるピン（１１３４）を備える。ゴム製のＯリング（６１３４）と、ダクトの開口部（１５３）と接触している遮断部材（７１３４）とをこれらの２つの部品間に配置している。レバー（４１３４）をダクト９３）に対して９０度で回転させることによって閉鎖装置（１３４）をダクトの開口部（１５３）と接触させ、したがって部品の本体（８１３４）をダクト（３）に引き入れるとき、受け台（２１３４）は遮断部材（７１３４）に接近し、これにより、ゴム製のＯリング（６１３４）を圧縮する。前記Ｏリングの直径は拡大し、これにより、ダクト（３）内でレバー式閉鎖装置（１３４）をしっかりと封鎖する。
【０１０５】
図１９、２０及び２２に示す本発明の好ましい実施形態では、カバー（４）は外面（２１４）に第１のネジ山を備え、且つダクト（３）は、前記ダクトの開口部周辺の内面（２４３）に第２のネジ山を備え、これにより、カバー（４）がダクトの開口部（１５３）を閉鎖するとき、前記第１のネジ山に対応する。
【０１０６】
カバー（４）を開口部にねじ込む（２４３）ときに、第１のネジ山（２１４）が第２のネジ山（２４３）にねじ込まれ、このねじ込みにより密閉状態で固定することが可能となり、大人が開放するのは容易であるが、子供が開放するのは比較的難しい。
【０１０７】
カバー（４）は、ソール（１）に対してカバー（４）を回転させる手段（１６４）を好ましくは備える。これにより、ねじ込みと取り外しとが容易になる。前記ソールに対してカバーを回転させる手段（１６４）は、コイン又はドライバを挿入することを目的としたスロット（１６４）を備える。
【０１０８】
図２３に示す本発明の好ましい実施形態では、前記固定のための手段にはバヨネット式閉鎖装置（１４４）が含まれる。ダクト（３）の端部は溝部（４４３）を含む。前記カバーは２つのつまみ部（１１４４）を備える。ダクト（３）とカバー（４）とをバヨネット式閉鎖装置（１４４）を使用して連結することによって、２つのつまみ部（１１４４）が溝部（４４３）と接触する。前記２つのつまみ部（１１４４）を、カバーを回転させることによって溝部（４４３）において封鎖しており、これにより、カバー（４）とダクト（３）とを強固に固定でき、且つケーシングが密閉状態となる。
【０１０９】
図２３に示す実施形態によれば、カバー（４）は、ソール（１）に対してカバー（４）を回転させる手段を好ましくは備える。これにより、ねじ込みと取り外しとが容易になる。前記ソールに対してカバーを回転させる手段は、コイン又はドライバ（１６４）を挿入することを目的としたスロットを備える。
【０１１０】
図２４及び図２５に示す本発明の好ましい実施形態では、カバー（４）は、内面に第１のネジ山（３１４）を有するリム（２０４）を備え、且つダクト（２１３）は、前記外面上の開口部周辺に配置される第２のネジ山（３４３）を備え、これにより、カバー（４）がダクトの開口部（１５３）を閉鎖するときに、前記第１のネジ山に対応し、ここで、前記ダクトはソールの穴部よりもわずかに長く、且つソールの外側（２１３）よりもわずかに先に突出している。
【０１１１】
このねじ込みにより、強固に、且つ密閉状態で固定することが可能となり、大人が開放するのは容易であるが、子供が開放するのは比較的難しい。
【０１１２】
図２５に示す実施形態によれば、カバー（４）は、ソール（１）に対してカバー（４）を回転させる手段を好ましくは備える。これにより、ねじ込みと取り外しとが容易になる。前記ソールに対してカバーを回転させる手段は、コイン又はドライバを挿入することを目的としたスロット（１６４）を備える。
【０１１３】
図２６から図２８に示す本発明の好ましい実施形態では、ダクト（３）をソール内に完全に挿入（１１３）している。ダクトの開口部（１５３）において、ソールの穴部の直径（１３２）をダクトの穴部の外径（２５３）よりもわずかに大きくすることにより、ねじ込み中にカバー（４）を収容できる。
【０１１４】
カバー（４）は、前記カバーの内面に第１のネジ山（３１４）を有するリム（２０４）を備え、且つダクト（１１３）は、前記外面上のダクトの開口部周辺に配置される第２のネジ山（３４３）を備え、これにより、カバーがダクトの開口部（１５３）を閉鎖するときに、前記第１のネジ山に対応する。
【０１１５】
このねじ込みにより、強固に、且つ密閉状態で固定することが可能となり、大人が開放するのは容易であるが、子供が開放するのは比較的難しい。
【０１１６】
図２７に示す実施形態によれば、カバー（４）は、ソール（１）に対してカバー（４）を回転させる手段（１６４）を好ましくは備える。これにより、ねじ込みと取り外しとが容易になる。前記ソールに対してカバーを回転させる手段（１６４）は、コイン又はドライバを挿入することを目的としたスロットを備える。
【０１１７】
前記スロットを含むカバーの基部（１０４）は、有利にはカバーの本体の直径よりも３ｍｍ大きな直径を有する。
【０１１８】
カバー（４）をダクト（３）にねじ込むと、カバーの基部（１０４）はソール（１）と接触し、これによってソール（１）とダクト（３）との間に埃や水分が少しでも侵入することを防止する。
【０１１９】
チューブに関する技術的説明
図７、図１８、図１９及び図２１から図３４に示す本発明の好ましい実施形態によれば、チューブ（５）は細長い形状であり、カバー（４）の基部（１０４）に固定することによってダクト（３）内に挿入するのに適している。
【０１２０】
前記チューブ（５）を、好ましくは取り外し可能となるように前記穴部（２）に挿入している。前記チューブを手に持った場合、前記チューブ（５）に文書又は物品を挿入したり、その文書又は物品をそこから取り出したりするのがより容易となる。
【０１２１】
前記ソールの穴部（２）に前記チューブ（５）をより容易に挿入して固定することができるように、この穴部（２）は、好ましくは一方の側で密閉され、他方の側で開口されているダクト（３）と連通している。
【０１２２】
図２９から図３４に示す本発明の好ましい実施形態では、ダクト（３）に挿入されるチューブ（５）を、カバーの基部（１０４）に恒久的に（１０５）又は取り外し可能に（２０５）固定することができる。したがって、前記チューブをカバー（４）と同時にダクト（３）内に手動で挿入し、且つダクト（３）から手動で取り外すことができる。前記チューブ（５）とカバーの基部（１０４）とを一体に形成することもできる。
【０１２３】
カバー（４）がダクト（３）上に固定されると、前記チューブ（５）はダクト（３）の内側部分を端から端まで充填する。ダクト（３）とチューブ（５）とは、好ましくは１．０〜１０．０ｃｍ、より好ましくは３．０〜７．０ｃｍ、さらにより好ましくは４．０〜６．０ｃｍの長さを有する。
【０１２４】
前記チューブ（５）を、金属、アルミニウム、ステンレス鋼、炭素、又は硬質プラスチック材料などの種々の材料から作製することができる。前記チューブ（５）を、これが含む内容を確認することができるように、好ましくは透過性材料から作製することができる。
【０１２５】
前記チューブ（５）を必要に応じて取り外すことができるように、カバーの内面（１５４）にチューブ（５）を取り外し可能に（２０５）固定することができる。
【０１２６】
図３１及び図３４に示す本発明の好ましい実施形態では、取り外し可能な固定のための手段にはバヨネット式閉鎖装置が含まれ、ここで、溝部の開口部（好ましくは、高さ約０．５  ｍｍ）がそれぞれ前記カバーの外面（３５４）を指向しているか、又は前記カバーの内面（２５４）を指向しているかによって、バヨネット部（１５５、２５５）が前記チューブ（５）の内面（２１５）又は外面（１１５）に位置する。
【０１２７】
たとえば、前記溝部（２５４）がカバーの内面に向かって開口している場合、前記チューブの一方の端部は、前記チューブの外側に位置する２つの平坦つまみ部（２５５）を備える。前記チューブと前記カバーとを連結することにより、２つの平坦つまみ部（２５５）が溝部（２５４）間に配置される。
【０１２８】
前記チューブを一方向に回転させることによって、前記２つのつまみ部（２５５）が溝部（２５４）の下側に収容され、且つ封鎖される。
【０１２９】
図３０に示すように、前記チューブ（５）に配置される情報又は物品を閉鎖したり封鎖したりするために、取り外し可能なキャップ（１３５）により、前記チューブ（５）をその他方の端部において遮断することができる。このキャップのヘッド（１１３５）は、前記チューブ（５）から容易に取り外すことができるように、好ましくはその本体（２１３５）よりもわずかに大きな直径を有する。この取り外し可能なキャップ（１３５）は、開放状態のチューブ（２４５）の開口部を密閉するのに適している。
【０１３０】
図２９に示す本発明の別の好ましい実施形態によれば、取り外し可能に固定された（２０５）チューブは、閉鎖状態のチューブ（１４５）を得るために、前記チューブの開口部における端面（１４５）によっても閉鎖されることができる。
【概要】
【０１３１】
2019517313.tif 000003
2019517313.tif 000004
2019517313.tif 000005
【０１３２】
本発明は、例示として記載し、且つ図面に示している実施形態に決して限定されない。本発明の範囲から逸脱することなく、細部、形状及び寸法に関する多くの変更を行うことができる。本発明について特定の実施形態を参照しながら説明してきたが、これらは単に例示的なものであり、これらを限定的であるとみなすべきではない。特許請求の範囲における参照番号は、その範囲を限定するものではない。
【図１】
2019517313.tif 000006
【図２】
2019517313.tif 000007
【図３】
2019517313.tif 000008
【図４】
2019517313.tif 000009
【図５】
2019517313.tif 000010
【図６】
2019517313.tif 000011
【図７】
2019517313.tif 000012
【図８】
2019517313.tif 000013
【図９】
2019517313.tif 000014
【図１０】
2019517313.tif 000015
【図１１】
2019517313.tif 000016
【図１２】
2019517313.tif 000017
【図１３】
2019517313.tif 000018
【図１４】
2019517313.tif 000019
【図１５】
2019517313.tif 000020
【図１６】
2019517313.tif 000021
【図１７】
2019517313.tif 000022
【図１８】
2019517313.tif 000023
【図１９】
2019517313.tif 000024
【図２０】
2019517313.tif 000025
【図２１】
2019517313.tif 000026
【図２２】
2019517313.tif 000027
【図２３】
2019517313.tif 000028
【図２４】
2019517313.tif 000029
【図２５】
2019517313.tif 000030
【図２６】
2019517313.tif 000031
【図２７】
2019517313.tif 000032
【図２８】
2019517313.tif 000033
【図２９】
2019517313.tif 000034
【図３０】
2019517313.tif 000035
【図３１ａ】
2019517313.tif 000036
【図３１ｂ】
2019517313.tif 000037
【図３１ｃ】
2019517313.tif 000038
【図３１ｄ】
2019517313.tif 000039
【図３２】
2019517313.tif 000040
【図３３】
2019517313.tif 000041
【図３４ａ】
2019517313.tif 000042
【図３４ｂ】
2019517313.tif 000043
【図３４ｃ】
2019517313.tif 000044
【図３４ｄ】
2019517313.tif 000045
【国際調査報告】
2019517313.tif 000046
2019517313.tif 000047
2019517313.tif 000048
2019517313.tif 000049
2019517313.tif 000050
2019517313.tif 000051